(57)【特許請求の範囲】
【請求項１】
心押台を摺動面に固定する機構であって、摺動面の裏面に当接して心押台を固定する固定板と、前記固定板を引上げ可能に軸端に前記固定板との係合部を有し互いに平行に配設された複数の縦軸と、前記複数の縦軸に直角方向に設けられ複数のねじ部を有する横軸と、複数の前記縦軸の各々の上部軸端に固着され下面にテーパ面を有する第１の駒と、前記横軸のねじ部に各々螺合し上面にテーパ面を有して前記第１の駒と各々テーパ面で係合する第２の駒とからなり前記横軸を回転させることにより縦軸を引上げることで心押台を固定することを特徴とする心押台固定機構。
【請求項２】
前記横軸のねじ部が２個所に設けられ且つ互いに逆方向のねじに形成されている請求項１に記載の心押台固定機構。
【請求項３】
心押台を摺動面に固定する機構であって、心押台下面とで摺動面を挟持する固定板を引上げる縦軸に係合し下面にテーパ面を有する第１の駒と上面に前記テーパ面と係合し相対移動により挟持力を増大させる第２の駒を設け、該第２の駒を前記摺動面に平行な方向に移動させる移動手段を設け、前記縦軸を前記摺動面に対し傾斜させ且つ傾斜方向に上下移動自在とし、前記固定板に前記縦軸が引上げられたときに前記摺動面の角部の端面に当接する段付部を設けてなり、前記移動手段で前記第２の駒を移動させることにより前記縦軸を介して固定板引上げ時に摺動面の対向前記角部の少なくとも一方の角部に引き上げ力の分力を作用させて固定することを特徴とする心押台固定機構。
【請求項４】
心押台を摺動面に固定する機構であって、心押台下面とで摺動面を挟持する固定板を引き上げる縦軸に係合し下面にテーパ面を有する第１の駒と上面に前記テーパ面と係合し相対移動により挟持力を増大させる第２の駒を設け、該第２の駒を前記摺動面に平行な方向に移動させる移動手段を設け、前記固定板に摺動面と当接する一方に当接段付部と最深部をテーパ面を有する切欠部とを形成し他方に前記摺動面に当接する段付部を形成すると共に前記切欠部に嵌装され前記切欠部の最深部のテーパ面に当接し前記摺動面の内側端面と当接する第３の駒を設け、前記移動手段で前記第２の駒を移動させることにより前記縦軸を引上げた時に前記第３の駒のテーパ面で生ずる分力を前記摺動面の下面と側面に伝えて心押台を固定することを特徴とする心押台固定機構。
【請求項５】
心押台を摺動面に固定する機構であって、前記摺動面の裏面に当接する楔形状の楔状板と、前記心押台近傍に前記摺動面に載置され前記楔状板と一体に前記心押台の進退方向に移動自在に設けられたブロックと、該ブロックと前記楔状板を前記摺動面に固定するクランプ部材と、前記楔状板の下面のテーパ面に当接し前記摺動面に載置された心押台の下面に一体固着した裏板と、前記ブロックと前記心押台とを接近離間させる調整部材とを設けてなり、該調整部材を操作して楔状板を心押台の進退方向に移動させ楔効果を操作して後クランプ部材で固定することを特徴とする心押台固定機構。
【発明の詳細な説明】
【０００１】
【発明の属する技術分野】
本発明は工作機械のセンタワークに使用される心押台の固定機構に関するものである。
【０００２】
【従来技術】
従来技術を示す図５は旋盤における心押台の配置例を示す。心押台１０１はベッド１０２の摺動面１０３上をチャック１０４と同心に移動可能に設けられている。ワーク１０５の長さに応じて心押台１０１を移動させた後心押台１０１を摺動面１０３に固定する。その際ボルト１０６をスパナで締める方法や心押台１０１の向こう側に位置し作業者の機台操作上障害にならない位置に図示しないクランプレバーと偏心軸とを設けて摺動面１０３にクランプする方法がある。
【０００３】
又図６（ａ）（ｂ）に固定機構の他の従来例を示す。
心押台１０１が傾斜する摺動面１１１上に載架されている場合である。固定用のボルト１０６を直接スパナで固定方向に回転させるとボルト６の下部で係合する固定板１１２を持ち上げ心押台１０１の下面と固定板１１２の間に摺動面１１１を挟持し心押台１０１を固定している。ナット１１３はボルト１０６に螺合させた後ピン１１４でゆるみ止めがされているので固定板１１２が落下することがない。
【０００４】
又ボルト１０６の固定板１１２との係合部分を揺動支点とし、ボルト１０６の頭部に該ボルトの軸線に直角に貫通穴を設け、前記貫通穴に嵌入する部分を偏心円筒形状とする操作用の横軸を設ける場合がある。
【０００５】
【発明が解決しようとする課題】
図５に示す旋盤ではスパナ又はクランプレバーを人手で操作することが多い。機械の高生産性を追求する目的と安全上及び作業環境上の問題から殆どの機械構成部分はカバーで覆われている。そのため心押台１０１クランプ動作を行うに先立ち、前面窓１０７又は側面窓１０８を開いて操作する必要がある。固定用ボルト１０６を２個所以上に設けられていると時間のかかる作業となる。
【０００６】
更に固定・ゆるめの作業は繰り返されるのでボルト１０６のねじ部に緊定反力が直接加わり長期使用に対しねじ部が摩耗し固定の安定性が減少する。心押台１０１が大形化した場合には大きな固定力が必要となるが、手締め作業で直接ボルト１０６を操作する場合十分な固定力を得るのが困難となる。
【０００７】
又図６（ａ）（ｂ）に示す傾斜した摺動面１１１上に載架された心押台１０１の場合摺動面はＹ面１１６でありＸ軸方向の案内面のＸ面１１７には心押台１０１の凸起部１１５が当接し、心押台１０１が案内されている。この場合ボルト１０６で心押台１０１を固定したとき心押台１０１が常にＸ面に当接した状態で固定されるとは限らないのでＸ軸方向の位置が確定されないという問題が生ずる。
【０００８】
本発明は従来技術の有するこのような問題に鑑みなされたものであり、その目的とするところは平面又は傾斜面に載架された心押台を小さな操作力でもって精度良く大きな緊定力で摺動面に固定できる機構を提供しようとするものである。
【０００９】
【課題を解決するための手段】
上記目的を達成するために請求項１の心押台固定機構の発明は、心押台を摺動面に固定する機構であって、摺動面の裏面に当接して心押台を固定する固定板と、前記固定板を引上げ可能に軸端に前記固定板との係合部を有し互いに平行に配設された複数の縦軸と、前記複数の縦軸に直角方向に設けられ複数のねじ部を有する横軸と、複数の前記縦軸の各々の上部軸端に固着され下面にテーパ面を有する第１の駒と、前記横軸のねじ部に各々螺合し上面にテーパ面を有して前記第１の駒と各々テーパ面で係合する第２の駒とからなり前記横軸を回転させることにより縦軸を引上げることで心押台を固定するようにしたものである。
【００１０】
請求項１の発明は、横軸に加える回転操作力が少なくとも駒のテーパ係合部により緊定力が拡大されるので強固な心押台の固定が可能となる。横軸に螺切されたねじに加わる力も少なくて良いのでねじの摩耗も少なく長期間に亘って安定した固定が期待できる。
【００１１】
また請求項２の心押台固定機構の発明は、前記横軸のねじ部が２個所に設けられ且つ互いに逆方向のねじに形成されているものである。
横軸と横軸とねじで係合する駒部材５ａ，５ｂ間を互いに逆方向のねじで形成しているので、横軸軸端部の１個所の軽快な操作により複数個所で心押台を強固に固定することが可能である。
【００１２】
また、請求項３の心押台固定機構の発明は、心押台を摺動面に固定する機構であって、心押台下面とで摺動面を挟持する固定板を引上げる縦軸に係合し下面にテーパ面を有する第１の駒と上面に前記テーパ面と係合し相対移動により挟持力を増大させる第２の駒を設け、該第２の駒を前記摺動面に平行な方向に移動させる移動手段を設け、前記縦軸を前記摺動面に対し傾斜させ且つ傾斜方向に上下移動自在とし、前記固定板に前記縦軸が引上げられたときに前記摺動面の角部の端面に当接する段付部を設けてなり、前記移動手段で前記第２の駒を移動させることにより前記縦軸を介して固定板引上げ時に摺動面の対向前記角部の少なくとも一方の角部に引き上げ力の分力を作用させて固定するようにしたものである。
【００１３】
傾斜した摺動面上の心押台を、安定してベースの摺動面上に固定するために傾斜した摺動面の上面・下面を上下方向から挟持するだけでなく、縦軸と傾斜した摺動面との関係で生ずる引上げ時の分力を利用して、対向する摺動面の角部で心押台のＸ方向の位置固定を安定したものとすることができる。
【００１４】
また、請求項４の心押台固定機構の発明は、心押台を摺動面に固定する機構であって、心押台下面とで摺動面を挟持する固定板を引き上げる縦軸に係合し下面にテーパ面を有する第１の駒と上面に前記テーパ面と係合し相対移動により挟持力を増大させる第２の駒を設け、該第２の駒を前記摺動面に平行な方向に移動させる移動手段を設け、前記固定板に摺動面と当接する一方に当接段付部と最深部をテーパ面を有する切欠部とを形成し他方に前記摺動面に当接する段付部を形成すると共に前記切欠部に嵌装され前記切欠部の最深部のテーパ面に当接し前記摺動面の内側端面と当接する第３の駒を設け、前記移動手段で前記第２の駒を移動させることにより前記縦軸を引上げた時に前記第３の駒のテーパ面で生ずる分力を前記摺動面の下面と側面に伝えて心押台を固定するようにしたものである。
【００１５】
傾斜した摺動面上の心押台を、安定してベースの摺動面上に固定するために傾斜した摺動面の上面下面を上下方向から挟持するだけでなく固定板に設けた第３駒のテーパ面の作用を利用して心押台のＸ方向分力を支えるようにしたものであり、本構造より安定した固定が期待できる。
【００１７】
また、請求項５の心押台固定機構の発明は、心押台を摺動面に固定する機構であって、前記摺動面の裏面に当接する楔形状の楔状板と、前記心押台近傍に前記摺動面に載置され前記楔状板と一体に前記心押台の進退方向に移動自在に設けられたブロックと、該ブロックと前記楔状板を前記摺動面に固定するクランプ部材と、前記楔状板の下面のテーパ面に当接し前記摺動面に載置された心押台の下面に一体固着した裏板と、前記ブロックと前記心押台とを接近離間させる調整部材とを設けてなり、該調整部材を操作して楔状板を心押台の進退方向に移動させ楔効果を操作して後クランプ部材で固定するようにしたものである。
【００１８】
【発明の実施の形態】
以下本発明の実施の形態を図面にもとづいて説明する。
図１は本発明に係る心押台の固定機構の断面説明図（実施例１）、図２，図３は心押台が傾斜した摺動面に固定される場合の断面図（実施例２，実施例３）、図４は心押台を摺動面下面に当接する楔状板で固定する楔状部材、ジャッキボルト、クランプ部材の断面図（実施例４）である。
【００１９】
〔実施例１〕
図１はベッド９上の水平な摺動面上に載架された心押台１に設けた心押台固定構造の実施例である。移動手段である横軸２の軸端の操作部３を直接操作する場合又は軸端に図示しない操作レバーを取着し作業性良く心押台１を固定することができる。
【００２０】
図１において、心押台１は水平の摺動面を有するベッド９上に載架されている。縦軸７，１１を降下させると固定板８も降下しベッド９を挟持している状態を取り除く。心押台１はＺ軸方向に手動で移動可能に設けられている。センタワーク時にはワークの軸方向の長さに応じ主軸台のチャックと心押台の心押軸間の距離を調節するため、心押台を頻繁に移動し固定する必要がある。
特に心押台が大形の機械であったり傾斜した摺動面上に心押台１がある場合に強固に人手でベッド９に固定する構造を当該心押台に構成する必要がある。
【００２１】
本発明の心押台固定機構の構成を図１にもとづき説明する。心押台１は縦軸７，１１の上昇により縦軸の軸端下部に螺合し回り止めピン１２でゆるみ止めが施されたナット１３に当接して該縦軸のそれぞれの下部軸端に係合する固定板８とでベッド９の摺動面に固定される。縦軸７，１１の上下方向の移動を生じさせるため縦軸７，１１に直交する横軸２との間にテーパ面で係合する楔状部材である駒部材５ａ，５ｂ，６ａ，６ｂを設け、前記駒部材５ａ，５ｂ，６ａ，６ｂの相対変位により横軸２の回転を両縦軸７，１１の上下方向移動に変換させている。
【００２２】
心押台の外部であって手で回転操作可能の位置に突出させベッド９の摺動面に平行に設けた軸の軸端に操作部３を有し軸中央部から軸端の二方向に右ねじ、左ねじを刻設した横軸２と、貫通した右ねじ又は左ねじを有して上面にテーパ面を有する駒部材５ａ，５ｂがガイド穴２２に嵌装され横軸２のねじ部とテーパ面をそれぞれ反対方向に向けて螺合しており、駒部材５ａ，５ｂのテーパ面の上面に当接するテーパ面を有する駒部材６ａ，６ｂが第１，第２縦軸７，１１の上部軸端に螺着されてガイド穴２３に嵌装されている。
【００２３】
横軸２の操作部３の反対側の軸端に螺合する第１駒５の外側の端面に当接して横軸２をゆるめ方向に回転させたときの駒部材５ｂのエンドストップとなる止ねじ２１が設けられている。
横軸２に螺合する駒部材５ａ，５ｂは心押台１の下面に平行に穿孔された角孔又は丸穴に嵌装されており、加工上又は組立上の容易性から決定されるがいずれの穴形状でも良い。
【００２４】
次に本発明の作用について図１で説明する。
横軸２の操作部３を心押台１をベッド９に固定する方向に回転操作する。横軸２と螺合する駒部材５ａ，５ｂは横軸２に刻設された右ねじ，左ねじにより第１，第２駒を接近する方向に移動する。駒部材５ａ，５ｂのテーパ面に係合する駒部材６ａ，６ｂは駒部材５ａ，５ｂの移動に対応して嵌装されている穴の上方向へ移動する。
【００２５】
駒部材６ａ，６ｂと上部軸端で螺合して一体で上下に移動可能に設けられた縦軸７，１１も上方向に同時に移動する。縦軸７，１１を引きつづき上昇させて行くと、縦軸７，１１の移動方向の反対側軸端で螺合するナット１３の上端面で支持されている固定板８を持ち上げて、固定板８の上面とベッド９の下面が当接する状態となる。
【００２６】
横軸２に更に強い操作トルクを加えると固定板８の上面と心押台１の下面とでベッド９を挟持して心押台１は固定されることとなる。心押台をベッド９の摺動面上で移動可能にするには操作部３をゆるめ方向に回転させ横軸２と螺合する駒部材５ｂが止ねじ２１に当接するまで操作すれば良い。
本固定方法によれば１個所を操作することによりテーパ面を有する駒部材５ａ，５ｂ，６ａ，６ｂを利用して緊定力を増大させて２個所の固定板８に伝えて強固な固定にすることができる。
【００２７】
〔実施例２〕
図２，図３はベッド９上の傾斜摺動面上に心押台が載架された実施例である。横軸と縦軸及び係合する駒部材５ａ，５ｂ，６ａ，６ｂの構成と作用は実施例１と同様であり説明を省略する。
図２において、心押台１は傾斜摺動面２４上に載架されＸ軸方向へ案内のため心押台１の下部に設けた顎が摺動面２５に当接している。心押台に重力方向に縦軸７，１１を設け、実施例１と同様な移動手段の横軸２及び楔状部材である駒部材５ａ，５ｂ，６ａ，６ｂを配設する。
固定板８はベッド９の摺動面２６と平行になるように移動手段である縦軸７，１１と係合する穴は傾斜孔として加工され、ベッド９の摺動面２６，２７と当接している。
【００２８】
本実施例の作用について説明する。心押台１は移動時には当接面２４，２５に接して摺動し、固定時には縦軸７，１１で引上げられる固定板８の段差部分でベース９の２６，２７の面に当接して固定される。
本実施例ではベッド９の固定される面２４，２６と縦軸７，１１とは一定の角度を形成しているのでベッド９の当接面２５と２７で反対方向の作用力を生じさせることができるので心押台１の安定した固定が確保である。
【００２９】
〔実施例３〕
図３は図２と同じくベッド９の傾斜した摺動面上に心押台１が載架されている場合であるが、移動手段である横軸２と縦軸７，１１を係合する楔状部材である駒部材５ａ，５ｂ，６ａ，６ｂをいずれも丸穴に装備した例である。
心押台１はベッド９の傾斜した摺動面上に載架され、下部にＸ軸方向へ案内となる顎を設けているのは図２に示す実施例と同じである。
【００３０】
本実施例ではベッド９の傾斜した摺動面に直角に縦軸７，１１が設けられている。係合する駒部材５ａ，５ｂは丸穴に嵌装可能な形状に作られている。縦軸７，１１と下端で係合する固定板８の形状を本実施例では固定板１５と第３駒１４で構成している。
縦軸７，１１の引上げに対応して軸端のナット１３の上面に当接する第３駒１４を同時に引き上げる。
第３駒１４のテーパ面と、第３駒１４が嵌装され前記テーパ面と対を形成するテーパ面を有する固定板１５を引上げ、ベッド９の２６と当接する第３駒１４はベッドの２７と当接して案内されテーパ面の作用により固定板１５はベッドの２５に当接する。
【００３１】
本実施例における作用は、摺動面と縦軸が直交しているので心押台１の内部構成が直交座標系で与えられ加工上も実施が容易である。
また縦軸７，１１の引上げで第３駒１４を引上げると固定駒１４のテーパ面と固定板１５のテーパ面の作用により固定板１５がベース９の当接面２５と第３駒１４が２７で当接し反対方向の力を作用させて心押台１の固定が安定する。
【００３２】
〔実施例４〕
図４において、本実施例では楔状部材の楔状板３１は摺動面の裏面に当接して設けられ、移動手段の調整部材はねじ軸を有するジャッキボルトである。楔が心押台本体の進退方向に移動して摺動面と心押台固定部材との隙間をつめて心押台本体を摺動面上に固定するようにした実施例である。
【００３３】
図４（ａ）は楔状部材、ジャッキボルト及びクランプ部材のボルトを含む断面図、（ｂ）はクランプ部材を示す（ａ）のＡ−Ａ断面図、（ｃ）は裏板緊定具の部分を示す（ａ）のＢ−Ｂ断面図である。
【００３４】
図４（ａ）において、心押台１はベッド９の摺動面２４に橋設されワーク１０の長手形状に対応して心押軸３１のストローク範囲外の場合は心押台１をその都度長手方向に移動させる。更に心押台１は図示しない主軸の軸線方向に進退自在に対向する摺動面２５，２６にも案内されている。
【００３５】
本実施例ではベッド９の摺動面の裏面２６に当接する楔状に形成された楔状板３１が設けられ、該楔状板はベッド９の二つの摺動面２４ａ，２４ｂに橋設されたブロック３２とで摺動面２４，２６を挟持可能に設けられている。楔状板３１とブロック３２はクランプ部材のボルト３３，ナット３４により楔状板３１とブロック３２を貫通して設けた穴にボルト３３を通し、ベッド９の摺動面２４，２６を挟持する。本実施例において楔状部材は楔状板３１と裏板３５に相当する。
【００３６】
楔状板３１を下方から該楔状板を中にして心押台１と挟持可能に片面がテーパに形成されており、そのテーパ面上に突出し心押台下面１ａと当接する平面を形成した座部３５ａの中央部分にボルト３６を挿入可能な穴が設けられている。
裏板３５は、心押台１と緊定材のボルト３６，ナット３７により連結されベッド９の摺動面２４，２６を挟持しクランプする。
座部３５ａは、楔状板３１に設けられた穴３１ａを貫通し該楔状板が心押台の進退方向に移動自在に隙間が設けられている。ボルト３６の軸方向と楔状板３１の移動方向に直交する方向に対しては楔状板３１は座部３５ａの側面で案内されている。
【００３７】
又ブロック３２と心押台１とを接近離間させる移動手段であるジャッキボルト３８が設けられており、該ジャッキボルトの一端は回転のみ可能に支持され他端は螺切され該ジャッキボルトを回転させることによりブロック３２と心押台１が接近若しくは離間してブロック３２と連動する楔状板３１が心押台１の移動方向に移動自在である。
【００３８】
次に実施例４の心押台固定機構の作用について図４（ａ）（ｂ）（ｃ）に基づき説明する。
【００３９】
心押台１を摺動面２４に固定するに先立ち最初の調整が必要である。まずナット３４を締定方向に回しボルト３３によりクランプ用の楔状板３１を引き上げ、ブロック３２とで摺動面２４，２６を挟み摺動可能な範囲まで挟み込む。次にナット３７を締定方向に回しボルト３６により裏板３５を引き上げ、該裏板を心押台下面１ａに当接させ固定する。このとき楔状板３１が裏板３５に接しないようにブロック３２をジャッキボルト３８により心押台１に接近する方向に楔状板３１と共に移動させておく。この状態では心押台１と楔状板３１は一体で移動可能である。
【００４０】
先ず心押台１について、ワーク１０に対応して図示しない主軸軸心方向に心押台１を移動させて長手方向の位置を定める。ブロック３２をジャッキボルト３８により心押台１から離れる方向へ移動させると、楔状板３１の下面が裏板３５に接し、楔状板３１が摺動面２６と裏板３５の上面間の楔面で強固に相互に位置が固定された状態でクランプ部材のナット３４を締めてブロック３２をボルト３３で摺動面２４にクランプする。
【００４１】
これで心押台１のクランプは終了したことになり、後は心押軸３９を前進操作してワーク１０を取り付けることにより準備作業を完了する。ワーク１０を取り付けることによりその反力成分は楔状板３１で形成した楔効果を更に高める方向に作用し心押台１の位置は強固に維持されることとなる。
アンクランプの時はクランプ部材のナット３４を弛め、ジャッキボルト３８を操作して心押台１側へブロック３２を移動させることにより楔効果は消滅し心押台１は移動自在となる。このように心押台１の近傍に設けたブロック３２上のナット３４とジャッキボルト３８の操作のみでクランプ・アンクランプが可能であり操作性が特に良好である。
【００４２】
【発明の効果】
本発明の心押台固定機構は上述の通り構成されているので次に記載する効果を奏する。
【００４３】
請求項１記載の発明は、心押台を固定する操作を操作性の良い１個所で集中して行うことができ、また複数個所の固定板に、テーパ面で係合する駒部材を用いて作用力を増大させ伝えているので強固な固定力を得る効果を有する。
【００４４】
請求項２記載の発明は、固定に要する操作力をねじにより伝えているので固定操作に大きな力を要しない。従って複数の固定板に操作力を伝えることも可能となる効果を有する。
【００４５】
請求項３記載の発明は、心押台を傾斜摺動面上に固定する場合に、両者間の相互位置関係により生ずる分力を利用してＸ方向の位置決めと固定が容易となる効果がある。
【００４６】
請求項４記載の発明は、心押台を傾斜する摺動面に固定する場合でも、テーパ面を有する固定コマで有効固定分力を発生させて固定し、安定な固定状態が得られる効果を有するものである。
【００４８】
請求項５記載の発明は、楔面を有する固定部材の楔状板をねじ部材のジャッキボルトを操作して心押台の進退方向に移動させるのみで強固な楔結合を形成させ、その後ナット一個の操作のみで心押台を固定することができる構造であり、構成する部品数が少なく形状も剛性に富んでおり経済性良く固定用ナットとジャッキボルトのクランプ・アンクランプの操作が心押台の前側のみでできるので、カバーの取り外しを必要とせず操作性もすぐれた心押台の固定機構である。
【図面の簡単な説明】
【図１】本発明に係る心押台の固定機構の断面説明図（実施例１）である。
【図２】心押台が傾斜摺動面に固定される実施例２の断面図である。
【図３】心押台が傾斜摺動面に固定される実施例３の断面図である。
【図４】心押台を摺動面下面に当接する楔状板で固定する実施例４の図面である。（ａ）は楔状部材、ジャッキボルト及びクランプ部材を含む断面図、（ｂ）はクランプ部材を示す（ａ）のＡ−Ａ断面図、（Ｃ）は裏板緊定具を示す（ａ）のＢ−Ｂ断面図である。
【図５】従来技術による心押台の操作上の課題説明図である。
【図６】従来技術による心押台の、（ａ）は断面説明図、（ｂ）は傾斜摺動面固定の断面説明図である。
【符号の説明】
１  心押台            ２  横軸（操作用）
５  第１駒            ６  第２駒
５ａ，５ｂ  駒部材    ６ａ，６ｂ  駒部材
７，１１  縦軸        ８，１５  固定板
９  ベッド            １０  ワーク
１４  第３駒
２４，２５，２６，２７  摺動面
３１  楔状板          ３２  ブロック
３３  ボルト          ３４  ナット
３５  裏板            ３６  ボルト
３７  ナット          ３８  ジャッキボルト
３９  心押軸
【図１】
0004287533.tif 000002
【図２】
0004287533.tif 000003
【図３】
0004287533.tif 000004
【図４】
0004287533.tif 000005
【図５】
0004287533.tif 000006
【図６】
0004287533.tif 000007